(57)【特許請求の範囲】
【請求項１】
扉の前面から後面へ向かって延びる第１シリンダと、前記第１シリンダ内に回動可能かつ施錠可能に嵌合している第２シリンダと、前記第１シリンダを前記扉に固定するナットとを有し、前記第２シリンダが前記扉の前面側に位置する前端部に形成された鍵穴と、前記扉の後面側で前記第１シリンダの後端部から後方へ延びて前記扉に対する固定枠に係脱可能な爪金具を取り付け可能な延出部とを有する防水型シリンダ錠において、
前記第１シリンダは、前端部と後端部とこれら両端部間に位置する中間部とを有し、前記前端部は、前記扉の前面に前方から当接可能なフランジを有し、前記中間部は、前記フランジ部よりも外径が小さく、外周面には前記ナットが螺合する第１ねじ部を有し、前記後端部は、前記中間部よりも外径が小さく、平滑な外周面からなる非ねじ部を有し、前記第２シリンダは、鍵穴を有する前端部と、前記第１シリンダの内周面に周り方向へ摺動可能に接する中間部と、前記中間部から後方へ延びる後端部とを有し、前記第１シリンダと第２シリンダとが前記第１シリンダ後端部内側において第１のＯ−リングを介して接触しており、前記第１シリンダの前記中間部と前記第２シリンダの中間部とにはシリンダ錠機構とが形成されており、前記ナットは、前記第１シリンダの第１ねじ部に螺合する第２ねじ部を有し、前記第２ねじ部よりも前方には前記第１シリンダの軸方向において前記扉の後面と向かい合う前方外端面が形成され、前記第２ねじ部よりも後方には前記第２シリンダの径方向において前記非ねじ部と向かい合う後方内周面が形成されており、前記前方外端面と後方内周面とのそれぞれには、これらの面と向かい合う前記扉の後面と前記非ねじ部の周面とに当接する第２のＯ−リングと第３のＯ−リングとが設けられていることを特徴とする前記防水型シリンダ錠。
【発明の詳細な説明】
【０００１】
【発明の属する技術分野】
この発明は、防水型のシリンダ錠に関する。
【０００２】
【従来の技術】
従来、扉の外側から鍵やハンドルを操作して、扉の内側で爪金具を固定枠に係脱させるシリンダ錠は、一般によく知られている。
【０００３】
【発明が解決しようとする課題】
かかるシリンダ錠の多くは、部材どうしを互いに密着させることによって、またはそのことに加えてシリンダ錠の一部を扉の前面や後面に密着させることによって、水がシリンダ錠を介して扉の内側へ浸入することをある程度防ぐことはできても、その程度に完全性を期待することは一般的に難しい。
【０００４】
この発明では、前記従来技術の如きシリンダ錠において、扉の内側への水の浸入を確実に防止することを課題にしている。
【０００５】
【課題を解決するための手段】
前記課題解決のために、この発明が対象とするのは、扉の前面から後面へ向かって延びる第１シリンダと、前記第１シリンダ内に回動可能かつ施錠可能に嵌合している第２シリンダと、前記第１シリンダを前記扉に固定するナットとを有し、前記第２シリンダが前記扉の前面側に位置する前端部に形成された鍵穴と、前記扉の後面側で前記第１シリンダの後端部から後方へ延びて前記扉に対する固定枠に係脱可能な爪金具を取り付け可能な延出部とを有する防水型シリンダ錠である。
【０００６】
かかる防水型シリンダ錠において、この発明が特徴とするところは、次のとおりである。前記第１シリンダは、前端部と後端部とこれら両端部間に位置する中間部とを有する。前記前端部は、前記扉の前面に前方から当接可能なフランジを有し、前記中間部は、前記フランジ部よりも外径が小さく、外周面には前記ナットが螺合する第１ねじ部を有し、前記後端部は、前記中間部よりも外径が小さく、平滑な外周面からなる非ねじ部を有する。前記第２シリンダは、鍵穴を有する前端部と、前記第１シリンダの内周面に周り方向へ摺動可能に接する中間部と、前記中間部から後方へ延びる後端部とを有し、前記第１シリンダと第２シリンダとが前記第１シリンダ後端部内側において第１のＯ−リングを介して接触している。前記第１シリンダの前記中間部と前記第２シリンダの中間部とにはシリンダ錠機構とが形成されており、前記ナットは、前記第１シリンダの第１ねじ部に螺合する第２ねじ部を有し、前記第２ねじ部よりも前方には前記第１シリンダの軸方向において前記扉の後面と向かい合う前方外端面が形成され、前記第２ねじ部よりも後方には前記第２シリンダの径方向において前記非ねじ部と向かい合う後方内周面が形成されており、前記前方外端面と後方内周面とのそれぞれには、これらの面と向かい合う前記扉の後面と前記非ねじ部の周面とに当接する第２のＯ−リングと第３のＯ−リングとが設けられている。
【０００７】
【発明の実施の形態】
添付の図面を参照し、この発明に係る防水型シリンダ錠の詳細を説明すると、以下のとおりである。
【０００８】
図１は、扉２に取り付けられた防水型シリンダ錠１の斜視図である。扉２は、固定枠３に対して開閉するもので、シリンダ錠１の鍵穴７に挿入した鍵４を矢印Ｘ方向へ回転させると、シリンダ錠１に取り付けられた爪金具６が扉の内側でＸ方向へ回転して固定枠３に係合し、扉２が施錠状態になる。鍵穴７には、鍵４を押し当てれば自動的に開くシャッター７ａが取り付けられている。
【０００９】
図２，３，４は、シリンダ錠１の側面図と、図１のＩＩＩ−ＩＩＩ線断面図と、シリンダ錠１の分解斜視図とである。シリンダ錠１は、錠本体１１とナット１２とを有し、錠本体１１は、外側の第１シリンダ１３と、内側の第２シリンダ１４とからなり、第２シリンダ１４を第１シリンダ１３に対して回転することがないように施錠できる周知のシリンダ錠機構２４を備えている。
【００１０】
第１シリンダ１３は、前端部１６と、後端部１７と、これら両端部１６，１７間に位置する中間部１８とを有する。前端部１６には、扉２の取り付け穴２ａの周縁部前面にパッキング１９を介して当接するフランジ２０が形成されている。フランジ２０の後方に続く中間部１８の外径は、フランジ２０の外径よりも小さく、周面に第１ねじ部２５が形成されている。後端部１７の外径は中間部１８の外径よりも小さく、平滑な外周面２２ａを有する。後端部１７の後端に形成されている突起部２２には、第２シリンダ１４の後端部に取り付けられていて第２シリンダ１４の回転角度を規制するためのカム板２１の側部２１ａ、２１ｂ(図４参照)が第２シリンダ１４の回転に伴って当接したり、離脱したりする。
【００１１】
第２シリンダ１４は、鍵穴７を有する前端部２３と、シリンダ錠機構２４の一部を収容し、第１シリンダ１３の内周面に周り方向へ摺動可能に接する中間部２６と、中間部２６から後方へ延びる後端部２７とを有する。鍵穴７の入口に取り付けられたシャッター７ａは閉じる方向へばね付勢されている。シャッター７ａは、鍵穴７への水や塵埃の侵入を防ぐことができる。後端部２７は、第１シリンダ１３の内周面から離間し、両シリンダ１３，１４間に比較的大きな間隙２８が形成されている。間隙２８において後端部２７に嵌められたリング２９の作用によって、第２シリンダ１４は第１シリンダ１３の前方へ抜けることがない。また、後端部２７に嵌められた第１のＯ−リング３１は、第１シリンダ１３の内周面と第２シリンダ１４の外周面とに圧接し、シリンダ錠１の前方から浸入した水が第１シリンダ１３と第２シリンダ１４との間から扉２の内側へ浸入することを防いでいる。後端部２７が第１シリンダ１３から後方へ延出する部位は、シリンダの断面形状が矩形であって、この部位にはカム板２１がＣ型止め輪３２を介して固定され、爪金具６が平ワッシャ３３とスプリングワッシャ３４とを介してビス３６によって固定されている。
【００１２】
ナット１２は、管状のもので、前端部４１と、後端部４２と、これら両端部４１，４２間に位置する中間部４３とを有する。中間部４３の内周面には第１シリンダ１３の第１ねじ２５に螺合可能な第２ねじ４４が形成されている。かかるナット１２は、前端部４１を前にして爪金具６を取り付ける前の錠本体１１に対して後方から組み付けると、第１，２ねじ２５と４４とが螺合する。ナット１２の前端部４１において、扉２の後面と向かい合う前方外端面４１ａには、内外２条の管状凹部４６，４７が形成されており、内側の凹部４６にはスプリングワッシャ４８が納められ、外側の凹部４７には第２のＯ−リング４９が納められている。錠本体１１に螺合したナット１２を扉２に接近させると、これらワッシャ４８と第２のＯ−リング４９とが扉２の内面に密着する。ワッシャ４８は、螺合した第１，２ねじ２５，４４が緩むことを防止し、第２のＯ−リング４９は、鍵穴７や第１，２シリンダ１３と１４との間から錠本体１１の内側に浸入した水が扉２の内側へさらに浸入することを防止する。
【００１３】
ナット１２が扉２に十分に接近した状態では、ナット１２の後端部４２に形成された後方内周面４２ａが第１シリンダ１３の後端部１７の平滑な外周面２２ａと向かい合う。ナット１２は、後方内周面４２ａに周方向へ延びる溝部５１を有し、溝部５１には第３のＯ−リング５３が納められている。第３のＯ−リング５３は、ナット１２の後方内周面４２ａと第１シリンダ１３の外周面とに密着し、錠本体１１に浸入した水が第１シリンダ１３とナット１２との間から後方へ向かい、扉２内部へとさらに浸入することを防止している。
【００１４】
【発明の効果】
このように形成された防水型シリンダ錠では、錠本体と扉との間から扉内側への水の浸入及び錠本体の内部から扉内側への水の浸入を第１〜３のＯ−リングによって防ぐことができる。
【図面の簡単な説明】
【図１】  使用状態にある防水型シリンダ錠の斜視図。
【図２】  防水型シリンダ錠の側面図。
【図３】  図１のＩＩＩ−ＩＩＩ線断面図。
【図４】  防水型シリンダ錠の分解図。
【符号の説明】
１      防水型シリンダ錠
２      扉
３      固定枠
７      鍵穴
１１      錠本体
１２      ナット
１３      第１シリンダ
１４      第２シリンダ
１６      前端部
１７      後端部
１８      中間部
２０      フランジ
２３      前端部
２４      シリンダ錠機構
２５      第１ねじ部
２６      中間部
２７      後端部
３１      Ｏ−リング（第１）
４１      前端部
４２      後端部
４３      中間部
４４      第２ねじ部
４９      Ｏ−リング（第２）
５３      Ｏ−リング（第３）
【図１】
0003652585.tif 000002
【図２】
0003652585.tif 000003
【図３】
0003652585.tif 000004
【図４】
0003652585.tif 000005